(57)【特許請求の範囲】
【請求項１】
下向きに開口するケーブル保持部を複数、横方向に有する保持金具と、ケーブル保持部間の保持金具を通して下水道管内壁に穿孔されたドリル孔に押し込み取付けられる取付部を有するアンカーよりなり、該アンカーの取付部に上方より形成される有底の縦孔には粘着剤が充填されると共に、プランジャーピンが差し込まれる管内ケーブルのケーブルホルダーにおいて、前記保持金具は、前記アンカーに該アンカーの両側に斜め上向きに突設され、上端部を断面逆Ｖ形にしたバネ体よりなる爪と、前記保持金具に形成され、爪が嵌合する嵌合孔である回転止め手段により回り止めされた状態で取付られることを特徴とする管内ケーブルのケーブルホルダー。
【発明の詳細な説明】
【０００１】
【発明が属する技術分野】
本発明は、下水道管等の管内に引込んだ光ファイバー等のケーブルを管内壁に固定支持するケーブルホルダーに関する。
【０００２】
【従来技術】
ケーブルホルダーとして特開平８−１０３０１２号には、横向きに突出するケーブル保持部を上下に有すると共に、上部に粘着剤を入れ、かつプランジャーピンを差し込んだ取付部を有し、下水道管の管内壁に穿孔したドリル孔に取付部を押し込んで、プランジャーピンの押込みにより取付部より押出される粘着剤で接着固定するようにしたものが開示され、また特開２０００−２６１９２４号には、ネジ部よりなる取付部と、下向きに開口する逆Ｕ形状をなし、開口部に内向きに突出する爪を備え、下水道管に予め取付けられるケーブルホルダーが開示されている。
【０００３】
【発明が解決しようとする課題】
上述のケーブルホルダーのうち、後者の下向きに開口するケーブルホルダーは、地震等で管に径方向の剪断力が加わった場合でもケーブルがケーブルホルダーから外れうるので、ケーブルに損傷を与えないですむ利点があるが、既設の下水道管に取付けられるようになっていないし、管内に既設のケーブルとは別に新たなケーブルを追加して取付けようとする場合、或いは種類の異なるケーブル、例えば幹線と枝線を分けて別々にケーブルホルダーに取付けようとする場合、新たな、ケーブルホルダー或いはケーブルホルダーを複数取付ける作業が必要である。
【０００４】
この点、前者のケーブルホルダーは、既設の下水道管に取付けることが可能であり、しかもケーブル保持部を複数有しているため新たなケーブルを追加して取付けており、ケーブルの種類ごとに別々のケーブル保持部に取付けることもできるが、下水道管内壁とケーブル保持部との間の隙間が狭く、ケーブルを掛けにくいうえ、地震等により管に径方向の剪断力が加わったとき、ケーブルに損傷を与えるおそれがある。
【０００５】
本発明は、下向きに開口するケーブル保持部を複数有し、一度の取付作業で既設の下水道管にも取付けることができるケーブルホルダーを提供することを目的とする。
【０００６】
【課題の解決手段】
請求項１に係わる発明は、下向きに開口する略Ｕ形状のケーブル保持部を複数、横方向に有する保持金具と、ケーブル保持部間の保持金具を通して下水道管内壁に穿孔されたドリル孔に押し込み取付けられる取付部を有するアンカーよりなり、該アンカーの取付部に上方より形成される有底の縦孔には粘着剤が充填されると共に、プランジャーピンが差し込まれる管内ケーブルのケーブルホルダーにおいて、前記保持金具は、前記アンカーに該アンカーの両側に斜め上向きに突設され、上端部を断面逆Ｖ形にしたバネ体よりなる爪と、前記保持金具に形成され、爪が嵌合する嵌合孔である回転止め手段により回り止めされた状態で取付られることを特徴とする。
【０００７】
本発明によると、アンカーの取付部を下水道管内壁に押し込んで、該取付部を接着固定するだけで下向きに開口するケーブル保持部を複数有する保持金具を下水道管内壁に固定することができる。
【０００８】
本発明においてはまた、保持金具をアンカーに差込み、嵌合孔に爪先を当てゝ押し込むと、嵌合孔の孔縁で爪が内側に閉じられる向きに押し込められ、孔縁が爪上端部を滑って爪上端部下に達すると、爪が復元して外向きに開き、孔縁に係止して支持金具の抜け止めを行う。したがって本発明の回転止め手段は、保持金具の回転止めと抜け止めの機能を行う。
【０００９】
【発明の実施の形態】
図１に示すケーブルホルダーは、左右両側にケーブル保持部１を有する保持金具２と、該保持金具２を中央部において図示しない下水道管に取着するアンカー３よりなり、保持金具２は略Ｃ形状をなす外側金具４と、内側金具５とより構成され、両金具４、５には中央部に図示していないが、回転止め手段を構成する矩形の孔が形成されている。そして両孔を合致させて組合せたとき左右両側に上記ケーブル保持部１が形成されるようになっている。
【００１０】
アンカー３は樹脂製で、中間部に保持金具２の支持部３ａを、上部に図示しない割り溝を備えた取付部としてのネジ部３ｂと有底の縦孔（図示しない）を有し、支持部３ａは下側部が円形断面、上側部が矩形断面をなして、上側部が上記矩形孔と共に回転止め手段を構成し、該上側部が金具４、５の矩形孔に嵌合して保持金具２の回り止めを行い、支持部３ａの上側部に嵌合した保持金具２を円形断面の下側部で支持するようになっている。
【００１１】
アンカー上部に上方より形成される縦孔には粘着剤が充填されると共に、プランジャーピン６が差し込まれ、プランジャーピン６を押し込むと、充填される粘着剤が押出されるようになっている。
【００１２】
図２に示すケーブルホルダーは、保持金具１１がΩ（オーム）形をなすケーブル保持部としてのケーブル保持具１２を四個、連結金具１３に一定間隔で連結した構造を有し、連結金具１３の中央部には回転止め手段を構成する矩形孔（図示しない）が形成されている。
【００１３】
アンカー１４は上記アンカー３と同一構造をなし、保持金具１１を上述の保持金具２と同じ形態で回り止めして支持するようになっている。図中、１５は上記プランジャーピン６と同じプランジャーピンである。
【００１４】
図３に示すケーブルホルダーは、保持金具２１が図４に示すように補強用のリブ２２を形成したΩ（オーム）形をなす一対のケーブル保持具としてのケーブル保持具２３を連結金具２４にて連結した構造を有し、連結金具中央部には後述のプランジャーピンが嵌合する円形部２５と、該円形部２５の左右に該円形部２５と連通し、回転止め手段を構成する嵌合孔としての嵌合部２６よりなる孔を形成している。
【００１５】
アンカー２５は樹脂製であり、上側部が小径で下側部と段をなし、図示しない割り溝を有すると共に、外周にネジが刻設され、上方より有底の縦孔が形成されている。そして該縦孔に粘着剤が充填されると共に、プランジャーピン２８が差し込まれるようになっている。
【００１６】
上側部と段をなす下側部は、上側部に嵌合する保持金具２１を支持し、両側には図５に詳細に示されるように、上側部を挟んで爪３１を斜め上向きに突設している。この爪３１は可撓性を有して上端部が断面逆Ｖ形状のフック状をなし、連結金具２４に形成される孔の円形部２５をアンカー上側部に嵌挿し、嵌合部２６が爪３１に合うような向きにして押し込むと、嵌合部２６の孔縁で爪３１が内側に押し込められ、孔縁が爪上端部を滑って上端部下に達すると、爪３１が復元して外向きに開き、孔縁に係止して保持金具２１の回り止めと共に抜け止めを行うようになっている。
【００１７】
図６に示すケーブルホルダーは、全体が樹脂製で下向きに開口する略Ｕ形状をなし、入り口に爪３５を突設したケーブル保持具部３６と、その両側に同じ形状の小サイズのケーブル保持部３７を有する保持具３８と、該保持具３８に突出形成され、下水道管４１に取着する取付部３９よりなり、取付部３９は割り溝を備え、上部に粘着剤が充填され、かつプランジャーピン４２が嵌挿される有底の縦孔（図示しない）を有している。
【００１８】
【発明の効果】
本発明によると、下水道管内壁に穿孔されるドリル孔にアンカー取付部を押し込むだけで、保持金具を下水道管内壁に固定することができ、下向きに開口する複数のケーブル保持部を一度の取付作業で既設の下水道管にも取付けることができること、複数のケーブル保持部は常に同じ向きに取付られるため、ロボットによるケーブルの挿入に支障を来たすことがないこと、保持金具を取付けたとき回り止めと共に抜け止めが行われること等の効果を奏する。
【図面の簡単な説明】
【図１】本発明に係わるケーブルホルダーの正面図。
【図２】本発明に係わるケーブルホルダーの別の例の正面図。
【図３】本発明に係わるケーブルホルダーの更に別の例の正面図。
【図４】図３に示すケーブルホルダーの保持金具の平面図。
【図５】図３に示すケーブルホルダーのアンカーの要部拡大正面図。
【図６】本発明に係わるケーブルホルダーの他の例の正面図。
【符号の説明】
１・・ケーブル保持具
２、１１、２１・・保持金具
３、１４、２７・・アンカー
４・・外側金具
５・・内側金具
６、１５、２８、４２・・プランジャーピン
１２、２３、３６、３７・・ケーブル保持具
１３、２４・・連結金具
２５・・円形部
２６・・嵌合部
３１、３５・・爪
３８・・保持具
３９・・取付部
４１・・下水道管
【図１】
0004180803.tif 000002
【図２】
0004180803.tif 000003
【図３】
0004180803.tif 000004
【図４】
0004180803.tif 000005
【図５】
0004180803.tif 000006
【図６】
0004180803.tif 000007